(57)【要約】【課題】無線通信装置において、受信信号の減衰回路をＩＣ内部に形成できるようにすることである。【解決手段】ＡＧＣ回路１５には、ミキサ回路１３の出力である中間周波数信号が入力している。ＡＧＣ回路１５は、中間周波数信号の信号レベルに応じてスイッチＳＷ０〜ＳＷｎの内の所望のスイッチをオン状態にする。具体的には、受信信号レベルが高いときには、スイッチＳＷ０〜ＳＷｎの内のオン状態にするスイッチの個数を多くして減衰量を大きくし、受信信号レベルが低いときには、オン状態にするスイッチの個数を少なくして減衰量を小さくする。【選択図】図１
2010258574.tif 000002
【特許請求の範囲】
【請求項１】
アンテナの出力端子に一方の端子が接続され、他方の端子が接地された複数のスイッチと複数の抵抗を有する減衰素子と、
前記アンテナで受信される受信信号の信号レベルに基づいて前記複数のスイッチを個別オン、オフ制御するＡＧＣ回路とを備える無線通信装置の減衰回路。
【請求項２】
受信信号と所望の周波数の局部発振信号を混合して中間周波信号に変換するミキサ回路を有し、
前記ＡＧＣ回路は、前記ミキサ回路から出力される中間周波信号の信号レベルに基づいて前記複数のスイッチを個別にオン、オフ制御する請求項１記載の無線通信装置の減衰回路。
【請求項３】
前記ＡＧＣ回路は、
受信信号と所定の周波数の発振信号を混合して得られる中間周波信号を検波・平滑する検波・平滑回路と、
前記検波・平滑回路で平滑された電圧をＡ／Ｄ変換するＡ／Ｄ変換器と、
基準値を記憶する記憶回路と、
前記Ａ／Ｄ変換器の出力と前記記憶回路の前記基準値を比較し、比較結果に基づいて前記複数のスイッチを個別にオン、オフする比較回路とを備える請求項１又は２記載の無線通信装置の減衰回路。
【発明の詳細な説明】
【技術分野】
【０００１】
本発明は、無線通信装置の減衰回路に関する。
【背景技術】
【０００２】
ラジオ受信機等では、強電界の受信環境では、アンテナで受信される信号の減衰量を大きくして増幅等を行い、弱電界の受信環境では、信号の減衰量を少なくして増幅等を行っている。
【０００３】
特許文献１には、ピンダイオードのアノードに順方向電圧を印加・調整することで順方向電流を変化させて入力信号の減衰量を調整すると共に、ピンダイオードのカソード側の入力インピーダンスを下げることで、入力信号のレベルを下げることが記載されている。
【０００４】
特許文献２には、高周波機器に使用されるアッテネータ回路において、第１〜第３端子を有し、第1端子からみたインピーダンスを第２端子からみたインピーダンスが実質的に等しい関係を維持しつつ、第1端子と第２端子間の減衰量を変化させることが記載されている。
【０００５】
特許文献１に記載のようにピンダイオードに流れる電流を制御して減衰量を調整する方法は、ピンダイオードを外付けの部品として設ける必要があり、外付け部品が増えてしまうという問題点があった。
【先行技術文献】
【特許文献】
【０００６】
【特許文献１】特開平５−３０００４３号公報
【特許文献２】特開平９−２７０６５９号公報
【発明の概要】
【発明が解決しようとする課題】
【０００７】
本発明の課題は、無線通信装置において、受信信号の減衰回路をＩＣ内部に形成できるようにすることである。
【課題を解決するための手段】
【０００８】
本発明の無線通信装置の減衰回路は、アンテナの出力端子に一方の端子が接続され、他方の端子が接地された複数のスイッチと複数の抵抗を有する減衰素子と、前記アンテナで受信される受信信号の信号レベルに基づいて、前記複数のスイッチを個別オン、オフ制御するＡＧＣ回路とを備える。
【０００９】
この発明の無線通信装置の減衰回路はＩＣ内部に作成することができるので外付けの部品を減らすことができる。
上記の無線通信装置の減衰回路において、受信信号と所望の周波数の局部発振信号を混合して中間周波信号に変換するミキサ回路を有し、前記ＡＧＣ回路は、前記ミキサ回路から出力される中間周波数信号の信号レベルに基づいて前記複数のスイッチを個別にオン、オフ制御する。
【００１０】
このように構成することで、中間周波信号の信号レベルに応じて減衰量を調整することができる。
上記の無線通信装置の減衰回路において、前記ＡＧＣ回路は、受信信号と所定の周波数の発振信号を混合して得られる中間周波信号を検波・平滑する検波・平滑回路と、前記検波・平滑回路で平滑された電圧をＡ／Ｄ変換するＡ／Ｄ変換器と、基準値を記憶する記憶回路と、前記Ａ／Ｄ変換器の出力と前記記憶回路の前記基準値を比較し、比較結果に基づいて前記複数のスイッチを個別にオン、オフする比較回路とを備える。
【００１１】
このように構成することで、中間周波信号を検波・平滑した電圧のデジタル値を基準値と比較し、その比較結果に基づいて減衰量を調整することができる。
【発明の効果】
【００１２】
本発明によれば、アンテナで受信された受信信号を減衰させる減衰回路をＩＣ上に作成できる。また、ピンダイオードを使用する方法に比べて減衰回路の消費電流を少なくできる。
【図面の簡単な説明】
【００１３】
【図１】実施の形態のラジオ受信機のフロントエンド部の回路と、減衰回路のＡＧＣの回路図である。
【図２】ＡＧＣの動作を示すフローチャートである。
【発明を実施するための形態】
【００１４】
以下、本発明の好適な実施の形態について説明する。図１（Ａ）は、ラジオ受信機のフロントエンド部の回路図の一例を示す図である。
図１で点線で囲まれる領域内にあるスイッチＳＷ０〜ＳＷｎ、抵抗Ｒ０〜Ｒｎ、ローノイズアンプ（ＬＮＡ）１２，ミキサ回路（ＭＩＸ）１３、帯域通過フィルタ１４及びＡＧＣ回路１５等はＩＣ（集積回路）上に形成されている。
【００１５】
アンテナ１１で受信された受信信号は、スイッチＳＷ０〜ＳＷｎと抵抗Ｒ１〜Ｒｎがそれぞれ直列に接続されたスイッチ群（減衰素子）のスイッチＳＷ０〜ＳＷｎ側の端子とローノイズアンプ１２に入力している。抵抗Ｒ０〜Ｒｎは、それぞれ一方の端子がスイッチＳＷ０〜ＳＷｎと接続され、他方の端子が接地されている。
【００１６】
スイッチＳＷ０〜ＳＷｎをオン又はオフすることで、アンテナ１１の出力端子と接地との間に並列に接続される抵抗の値を変化させ、受信信号の減衰量を制御することができる。スイッチＳＷ０〜ＳＷｎは、例えば、ＩＣ上に形成されたトランジスタにより実現できる。抵抗Ｒ１〜Ｒｎも同様にトランジスタの抵抗特性等を利用する。
【００１７】
アンテナ１１の受信信号はローノイズアンプ１２で増幅され、ミキサ回路１３で所望の周波数の局部発振信号と混合されて中間周波信号に変換される。中間周波数信号はフィルタ１４で他の周波数成分の信号が除去されて次段の増幅回路（図示せず）等に出力される。
【００１８】
ミキサ回路１３から出力される中間周波信号はＡＧＣ（Automatic Gain Control）回路１５に出力されている。
ＡＧＣ回路１５は、中間周波信号の信号レベルに応じてスイッチＳＷ０〜ＳＷｎを個別にオン、オフ制御する。これによりアンテナ１１で受信された受信信号の減衰量を受信信号レベルに応じて調整することができる。ＡＧＣ回路１５とスイッチＳＷ０〜ＳＷｎと抵抗Ｒ０〜Ｒｎが減衰回路に対応する。
【００１９】
図１（Ｂ）は、ＡＧＣ回路１５の一例を示す図である。ＡＧＣ回路１５は、検波・平滑回路２１と、Ａ／Ｄ変換器２２と、比較回路２３と、レジスタ２４を有する。
検波・平滑回路２１は、ミキサ回路１３から出力される中間周波信号を検波・平滑して直流電圧に変換する。Ａ／Ｄ変換器２２は、アナログの直流電圧をデジタル値に変換する。レジスタ２４には、望ましい受信信号レベルの値が基準値（デジタルの基準値）として記憶されている。
【００２０】
比較回路２３は、Ａ／Ｄ変換器２２から出力される受信信号レベルを示すデジタル値と、レジスタ２４に格納されている基準値を比較し、比較結果に基づいてスイッチＳＷ０〜ＳＷｎの内の所望のスイッチをオンさせる制御信号を出力する。
【００２１】
例えば、比較回路２３は、受信信号レベルがレジスタ２４に記憶されている基準値より大きいと判定したときには、スイッチＳＷ０〜ＳＷｎの内でオンさせるスイッチの個数を順に増やして減衰量を大きくしていく。それと反対に、受信信号レベルがレジスタ２４に記憶されている基準値より小さいときには、スイッチＳＷ０〜ＳＷｎの内でオンさせるスイッチの個数を順に減らして減衰量を小さくしていく。
【００２２】
図２は、ＡＧＣ回路１５の動作を示すフローチャートである。ラジオ受信機のＩＣが起動すると、ＡＧＣ回路１５のスイッチＳＷ０〜ＳＷｎを指定する変数ｎの初期値としてｎ＝０を設定する。
【００２３】
次に、Ａ／Ｄ変換器２２から出力される受信信号レベルを示すデジタル値と、レジスタ２４に記憶されている基準値と比較する（Ｓ１１）。
次のステップＳ１２において、受信信号レベルが基準値より大きいと判定されたときには、ステップＳ１３に進み、変数ｎの値が最大値か否かを判定する。
【００２４】
変数ｎの値が最大値でなければ（Ｓ１３、ＮＯ）、ステップＳ１４に進み、変数ｎに「１」を加算し、加算後の変数ｎで定まるスイッチＳＷ０〜ＳＷｎをオン状態にする。これにより、受信信号レベルが大きいときには、スイッチＳＷ０〜ＳＷｎの内でオンとなるスイッチの個数が増えて減衰量が大きくなる。
【００２５】
次に、ステップＳ１５において、一定時間待ち、一定時間経過したならステップＳ１１に戻る。ステップＳ１５の処理は、減衰量を変化させたときに、検波・平滑回路２１の出力電圧が安定するまでの時間待つための処理である。
【００２６】
次に、ステップＳ１１において、減衰量を大きくした後の受信信号レベルと基準値を再度比較する。この比較の結果、受信信号レベルが基準値より大きいときには、ステップＳ１３及びＳ１４に進み、変数ｎに「１」を加算し、加算後の変数ｎの値で定まるスイッチＳＷ０〜ＳＷｎをオン状態にする。これにより、減衰量がさらに大きくなる。
【００２７】
上述したステップＳ１１〜Ｓ１５の処理を繰り返すことで、受信信号レベルに応じて減衰量を増やすことができる。
ステップＳ１２において、受信信号レベルが基準値より小さいと判定されたときには、ステップＳ１６に進み、変数ｎの値が「０」か否かを判定する。
【００２８】
変数ｎの値が「０」でなければ（Ｓ１６、ＮＯ）、ステップＳ１７に進み、変数ｎから「１」を減算し、減算後の変数ｎの値で定まるスイッチＳＷ０〜ＳＷｎをオン状態にする。これにより、受信信号レベルが基準値より小さいときには、スイッチＳＷ０〜ＳＷｎの内でオンとなるスイッチの個数が減り減衰量が小さくなる。
【００２９】
次に、ステップＳ１８において、一定時間待ち、一定時間経過したならステップＳ１１に戻る。
次に、ステップＳ１１において、減衰量を小さくした後の受信信号レベルと基準値を再度比較する。この比較の結果、受信信号レベルが基準値より小さいときには、ステップＳ１６及びＳ１８の処理を実行し、変数ｎから「１」を減算し、減算後の変数ｎの値で定まるスイッチＳＷ０〜ＳＷｎをオン状態にする。
【００３０】
上述したステップＳ１１、Ｓ１２、Ｓ１６〜Ｓ１８の処理を繰り返すことで、受信信号レベルが基準値より小さい場合には、減衰量を順次減らすことができる。
ステップＳ１２で受信信号レベルが基準値と等しいと判定されたとき、ステップＳ１３で変数ｎが最大値と等しいと判定されたとき（Ｓ１３、ＹＥＳ）、あるいはステップＳ１６で変数ｎが「０」と判定されたときには（Ｓ１６、ＹＥＳ）、減衰量を調整せずに、ステップＳ１１に戻る。
【００３１】
上述した実施の形態によれば、ＡＧＣ回路１５により受信信号レベルを検出し、その検出レベルに応じてスイッチＳＷ０〜ＳＷｎの内の所望のスイッチをオンにすることで受信信号の減衰量を任意に調整することができる。さらに、信号の減衰量を調整するための複数のスイッチＳＷ０〜ＳＷｎ、複数の抵抗Ｒ０〜Ｒｎ及びＡＧＣ回路１５をＩＣ内部に作成できるので、従来のようなピンダイオードが不要となり、外付け部品の個数を減らすことができる。
【００３２】
上述した実施の形態は、ＡＧＣ回路１５を検波・平滑回路２１とＡ／Ｄ変換器２２と比較回路２３とレジスタ２４で構成した場合について説明したがこの構成に限らない。例えば、検波・平滑回路２１の代わりにサンプルホールド回路等を用いても良い。また、デジタル値に変換せずにアナログ値で比較しても良い。
【００３３】
また、ＡＧＣ回路１５に入力される信号は中間周波信号に限らず、ローノイズアンプ１２の出力信号でも良い。
【符号の説明】
【００３４】
１１    アンテナ
１２    ローノイズアンプ
１３    ミキサ回路
１４    フィルタ
１５    ＡＧＣ回路
２１    検波・平滑回路
２２    Ａ／Ｄ変換器
２３    比較回路
２４    レジスタ
【図１】
2010258574.tif 000003
【図２】
2010258574.tif 000004